(57)【要約】  ドラム調整装置（１０）は、ドラム皮の張力制御装置の頭部をはめ込むのに適合した駆動頭部（１４）、当該駆動頭部を回転させるための原動機（２４、図６を参照）、および当該駆動頭部の回転を制御するための制御手段を含む。当該制御手段は３つの押しボタン（１６、１８、２０）を含み、様々な前選択可能な回転角までの駆動頭部（１４）の回転をそれぞれ制御する。【選択図】図２
2010535349.tif 000002
【特許請求の範囲】
【請求項１】
ドラム皮張力制御装置の頭部をはめ込むのに適合した駆動頭部（１４）と、前記駆動頭部（１４）を回転させるための原動機（２４）と、前記駆動頭部（１４）の回転を制御するための制御手段（１６、１８、２０、３６）と、特定の前設定可能な所定の角度までの前記駆動頭部（１４）の回転を制御する制御手段（１６、１８、２０、３６）とを含むドラム調整装置（１０）。
【請求項２】
前記制御手段（１６、１８、２０、３６）は、前記所定の角度までの前記駆動頭部（１４）の回転を作動させるための切換手段（１６、１８、２０）を含む、請求項１に記載のドラム調整装置（１０）。
【請求項３】
前記制御手段（１６、１８、２０、３６）は、複数の切換手段（１６、１８、２０）を含み、各切換手段は、様々な特定の前設定可能な所定の角度までの前記駆動頭部（１４）の回転を作動させるためのものである、先行請求項の何れか１項に記載のドラム調整装置（１０）。
【請求項４】
前記制御手段（１６、１８、２０、３６）は、９０°、１８０°、および３６０°のそれぞれの角度までの前記駆動頭部（１４）の回転を作動させるための３つの切換手段（１６、１８、２０）を含む、先行請求項の何れか１項に記載のドラム調整装置（１０）。
【請求項５】
前記制御手段（１６、１８、２０、３６）は、引金部（２２）が押下される場合に、前記駆動頭部（１４）の回転を作動させるための前記引金部（２２）を含む、先行請求項の何れか１項に記載のドラム調整装置（１０）。
【請求項６】
前記駆動頭部（１４）をどちらの方向にも駆動させることができる、先行請求項の何れか１項に記載のドラム調整装置（１０）。
【請求項７】
前記原動機（２４）はステッピングモーター（２４）である、先行請求項の何れか１項に記載のドラム調整装置（１０）。
【請求項８】
前記原動機（２４）は歯車箱（２６）を通じて駆動する、先行請求項の何れか１項に記載のドラム調整装置（１０）。
【請求項９】
前記原動機（２４）は、所定のトルク設定を超えた前記駆動頭部（１４）の駆動を防止するトルククラッチ（２８）を通じて駆動する、先行請求項の何れか１項に記載のドラム調整装置（１０）。
【請求項１０】
調節手段（３０）は、前記トルククラッチ（２８）のトルク設定を調節するために提供される、請求項９に記載のドラム調整装置（１０）。
【請求項１１】
前記装置（１０）は電池式である、先行請求項の何れか１項に記載のドラム調整装置（１０）。
【請求項１２】
前記装置（１０）は充電式電池を動力源とする、先行請求項の何れか１項に記載のドラム調整装置（１０）。
【請求項１３】
添付図面の図１から図９を参照し、これらの図にて説明されるように、十分に本明細書にて記載されているようなドラム調整装置（１０）。
【発明の詳細な説明】
【技術分野】
【０００１】
本発明は、ドラム調整装置に関する。
【背景技術】
【０００２】
従来のドラムは一般的に、円柱形のドラム本体、ドラムヘッドとしても知られる２つのドラム表皮を含み、それぞれのドラムヘッドは、当該本体上にあるそれぞれのドラム皮を保持するために、当該ドラム本体の末端および２つの環状ドラムフープを覆う。各ドラム皮における張力は、その調整を決定する。一組の力学的張力制御装置は、各ドラムフープの表面の周りに間隔をあけられ、当該ドラム本体上のドラムフープを保持する。当該張力制御装置は、それぞれのドラムフープによって保持される皮の張力を増加または減少させるために、緊張または弛緩させることができる。
【０００３】
各張力制御装置は、通常は締め釘である雄ネジ部、および対応する雌ネジ部を含む。当該雌ネジ部は、当該ドラム本体に固定され、当該締め釘は、当該ドラムフープ内の孔を貫通し、当該雌ネジ部内にはめ込まれている。調整のために、当該雌ネジ部へ当該締め釘を締めることで、当該ドラムの中心に向かって当該ドラムフープを引張し、当該ドラム皮を緊張させる。逆に、当該締め釘を緩めることで、当該ドラム皮を弛緩させる。理想的には、特定のドラムフープを保持する一組の締め釘は、当該それぞれのドラム皮全体にわたって一定の張力および調整を提供するために同じ張力になるまで締められる。当該締め釘は通常、手持ち鍵を用いて回転される。
【０００４】
典型的な鍵は、各締め釘頭部および全体に固定された翼状部をはめ込み、手動での当該鍵の回転を可能にするための受口部を有する。別の典型的な鍵は、横棒部および柄部に接続された受口部を含む。このことは、締めることに関して力学的利点を与えるが、使用するにはより不便となり得る。その他の鍵は、１つの方向における歯止めの滑りを可能にする歯止め装置を含むが、歯止め装置を含む鍵を用いて各締め釘に加えられる回転の量を測定するのは困難である。このことは、ドラム皮全体にわたって調整することさえ実現することをより困難にする。
【０００５】
通常、各ドラムフープの周囲には、少なくとも６つの締め釘が提供されるが、当該ドラムが大きい場合、より多くの締め釘があり得る。このような事情なので、各ドラム上には少なくとも１２本の締め釘、および標準的な５点のドラムキット中には６０本の締め釘がある。それ故、当該調整方法は時間がかかり得る。
【０００６】
ドラム皮が摩耗または破損した場合、その後それは取り替える必要があり得る。このことは、当該ドラムフープを当該ドラム本体に保持し、当該ドラム皮の除去を可能にする全ての当該締め釘の除去による、当該それぞれのドラムフープの除去を要求する。当該ドラム皮を取り替える場合、当該締め釘を再挿入し、所望の調整張力になるまで締める必要がある。重ねて、これは時間のかかる作業である。
【０００７】
調整している間、最小張力が通常各締め釘に加えられ、その後当該締め釘は、同一の所定の回転角を経てそれぞれ回転される。このことは、当該皮が当該所望の張力になるまで均一に引張されることを保証する。しかしながら、これは目測する必要があるため、同一の角度を経て当該締め釘を回転することは容易ではない。
【発明の概要】
【０００８】
本発明によれば、ドラム皮張力制御装置の頭部をはめ込むのに適合した駆動頭部、当該駆動頭部を回転させるための原動機、および当該駆動頭部の回転を制御するための制御手段、特定の前設定可能な所定の角度に当該駆動頭部の回転を制御する制御手段を含むドラム調整装置が提供される。
【０００９】
所定の角度を経て当該ドラムフープを保持する締め釘の回転によって、最小張力から均一にドラム皮を引張することができるということは、本発明の利点である。このことは、人為的過誤を回避し、正確な調整およびより速い調整を可能にし、先述のように手動鍵を用いて今まで調整を行ってきただろう調整者の手首および指にかかる圧力を軽減する。
【００１０】
好ましくは、当該制御手段は、前記所定の角度まで駆動頭部の回転を作動させるための切換手段を含む。
【００１１】
さらに、当該制御手段は、好ましくは複数の切換手段を含み、各手段は、様々な特定の前設定可能な所定の角度まで駆動頭部の回転を作動させるためのものである。
【００１２】
当該制御手段は、９０°、１８０°、および３６０°のそれぞれの角度まで駆動頭部の回転を作動させるための３つの切換手段もまた含み得る。
【００１３】
各切換手段は、押しボタンまたはその他適切な切換装置であり得る。
【００１４】
好ましくは、当該切換手段は、当該引金部が押下される場合に駆動頭部の回転を作動させるための引金部を含む。
【００１５】
好ましくは、当該駆動頭部は、両方向に駆動することができる。
【００１６】
好ましくは、当該原動機はステッピングモーターである。
【００１７】
好ましくは、当該原動機は歯車箱を通じて駆動する。
【００１８】
好ましくは、当該原動機は、所定のトルク設定を超えた駆動頭部の駆動を防止するトルククラッチを通じて駆動する。
【００１９】
好ましくは、調節手段は、当該トルククラッチのトルク設定を調節するために提供される。
【００２０】
好ましくは、当該装置は電池式である。
【００２１】
好ましくは、当該装置は充電式電池で作動する。
【００２２】
本発明のさらなる理解のため、およびそれを実施し得る方法をより明確に示すために、例として、添付図面に対する参照をここで行う。
【図面の簡単な説明】
【００２３】
【図１】本発明のドラム調整装置の一方からの概略斜視図を示す。
【図２】他方からの図１のドラム調整装置の概略斜視図を示す。
【図３】図１のドラム調整装置の概略側面図を示す。
【図４】図１のドラム調整装置の上方からの概略平面図を示す。
【図５】図１のドラム調整装置の部分端面図を示す。
【図６】一方からの図１のドラム調整装置の分解部切取図を示す。
【図７】一方からの図１のドラム調整装置の一部切取図を示す。
【図８】使用時における図１のドラム調整装置を示す。
【図９】主電力供給装置から充電されている図１のドラム調整装置を示す。
【実施例】
【００２４】
まず図１から図４を参照すると、ドラム調整装置は概して１０と示している。装置１０は、プラスチックから鋳造された外枠部１２および駆動頭部１４を含む。当該駆動頭部の回転を制御するための制御手段は、複数の押しボタン１６、１８、２０を含み、各押しボタンは、それぞれ特定の所定の回転角に当該駆動頭部の回転を制御するためのものであり、引金部２２は、駆動頭部１４の連続回転のためのものである。図５におけるボタン上の陰影記号によって示すように、押しボタン１６は、当該駆動頭部の９０°の角度までの作動を制御し、押しボタン１８は、当該駆動頭部の１８０°の角度までの作動を制御し、押しボタン２０は、当該駆動頭部の３６０°の角度までの作動を制御する。
【００２５】
図６および図７も参照すると、当該枠部の内側に、ステッピングモーター２４、歯車箱２６、およびトルククラッチ２８が搭載され、これらは駆動頭部１４を駆動させる。ステッピングモーター２４は歯車箱２６に推進力を伝え、歯車箱２６はトルククラッチ２８に推進力を伝え、当該トルククラッチは駆動頭部１４に推進力を伝える。枠部１２の末端にあるトルククラッチの周りにアニュラリングまたは斜面溝３０を搭載し、当該トルククラッチが滑るトルクを設定するのに用いることができる。図５に示すように、装置１０の枠部１２上に度目盛３２を与え、アニュラリング３０上の指示矢印３４を、当該リングを当該枠部に対して回転させるような所望のトルク設定と合わせることができる。
【００２６】
押しボタン１６、１８、２０、およびその他電子制御の回路構成要素を、マイクロプロセッサを含め、印刷回路板（ＰＣＢ）３６上に与え、また枠部１２内に配置する。当該装置を作動させる充電式電池３８を、枠部１２の後部内に、ステッピングモーター２４の後ろに配置する。充電式電池３８を充電するための充電プラグを受け入れるための受口部３８を、当該枠部の後部内に配置する。充電中の当該充電式電池装置を図９に示し、変換機４０を通じて主電力供給受口部に接続する。随意に当該充電式電池を移動または置換することができ、別の随意の配列では、当該装置を置換可能な非充電式電池によって、例えば、いくつかのＡＡ電池によって作動させることができる。
【００２７】
駆動頭部１４は四角孔の駆動凹部を備え、これは典型的なドラム皮の張力制御手段の締め釘を駆動させるのに適切である。しかしながら、ドラム皮を緊張または弛緩するのに適切なその他の駆動手段のために、これを変化することができる。
【００２８】
図８を参照して、装置１０の操作をここで記載する。ドラムの多数の締め釘４２のうち１つではめ込んだ駆動頭部１４とともに、装置１０を示す。装置１０は手持ち式であり、各締め釘４２を最小張力になるまで回転するのに引金部２２を用いる。ドラム皮を緊張させる前に、アニュラリング３０および度目盛３２を用いて当該トルクを設定することができる。その後、当該トルクを最大値に設定し、調整に必要な回転を選択することができる。例えば、各締め釘４２をちょうど１８０°にて回転させることは望ましい可能性があり、この場合、交互に各締め釘４２で装置１０をはめ込み、押しボタン１８を用いて当該装置を作動させる。
【００２９】
締め釘４２のちょうど９０°の回転を必要とする場合、押しボタン１６を選択し、当該駆動頭部がその開始地点からちょうど９０°への緊張方向に移動するように、当該制御手段は駆動頭部１４の角度変位を制御する。
【００３０】
同様に、締め釘４２のちょうど３６０°の回転を必要とする場合、押しボタン２０を選択し、当該駆動頭部がその開始地点からちょうど３６０°への緊張方向に移動するように、当該制御手段は駆動頭部１４の角度変位を制御する。
【００３１】
結果として、その開始地点から特定かつ正確な角度までの当該駆動頭部の角度移動を、各締め釘の正確な緊張を可能にする装置によって制御する。
【００３２】
装置１０の駆動方向を変化させるための手段（図示せず）を与え、使用後に当該ドラムの締め釘を弛緩させるためにもこれを用いることができる。この手段を制御することはできず、それによって乱雑かつ無秩序な弛緩を可能にし、かつ／または９０°、１８０°、および３６０°等の正確な角度量にて当該締め釘を弛緩させる選択手段を含み得る。
【００３３】
特定の回転角度量間で切り換えを行うための、複数の押しボタンを含むと当該制御手段を提案したが、当該駆動頭部を駆動することができる様々な正確な回転角の選択を、スクロールして可能にするダイヤルまたはレバー等のその他選択手段を利用することができる。
【００３４】
当該装置は、一様な張力を有するドラム皮を調整する効果的な方法を提供する。当該調整方法は、手で行うよりも容易であり、手の器用さをそれ程必要とせず、手動鍵を用いるよりも遥かに迅速である。
【００３５】
当該制御手段は、複数の前設定可能な角度または正確な角度のうち１つまで回転するように当該駆動頭部を制御するが、当該制御手段は、当該駆動頭部を回転させることができる、ただ１つの前設定された角度または特定の角度を有し得、例えば、この角度は９０°である。この場合、連続的な特定の角度まで当該駆動頭部を回転させるように、全く連続的に当該装置を操作する。例えば、１８０°を必要とする場合、その開始地点から最初に９０°まで当該駆動頭部を移動させるように当該装置を２回操作し、その後、さらに９０°にて再び当該駆動頭部を移動させるように再び同じ操作を行う。
【００３６】
上記の実施形態は、ほんの一例として与えられるものであり、添付の特許請求の範囲から逸脱することなく、様々なその他の修正が当業者にとって明白であろう。
【図１】
2010535349.tif 000003
【図２】
2010535349.tif 000004
【図３】
2010535349.tif 000005
【図４】
2010535349.tif 000006
【図５】
2010535349.tif 000007
【図６】
2010535349.tif 000008
【図７】
2010535349.tif 000009
【図８】
2010535349.tif 000010
【図９】
2010535349.tif 000011
【国際調査報告】
2010535349.tif 000012
2010535349.tif 000013
2010535349.tif 000014